(57)【要約】【課題】長距離走に関し、コース内の走者位置をより容易に把握できる動画を作成する技術を提供する。【解決手段】動画作成装置１０は、計測地点Ｃ１〜Ｃ７を含む走行コースＣにおける、長距離走に関する動画を作成する。動画作成装置１０は、走者が各計測地点Ｃ１〜Ｃ「に到達した時刻を表す走行記録を取得し、走行コースＣを表す地図画像を取得し、走行記録に基づいて、時刻に応じた走行コースＣにおける走者位置を決定し、走者位置に基づいて、走者を表す第１標識３１が地図画像上を移動する動画を作成する。【選択図】図３
2019204438.tif 000002
【特許請求の範囲】
【請求項１】
１つ以上の計測地点を含む走行コースにおける、長距離走に関する動画を作成する、動画作成装置であって、
走者が各前記計測地点に到達した時刻を表す走行記録を取得する、走行記録取得機能と、
前記走行コースを表す地図画像を取得する、地図画像取得機能と、
前記走行記録に基づいて、時刻に応じた前記走行コースにおける走者位置を決定する、走者位置決定機能と、
前記走者位置に基づいて、前記走者を表す第１標識が前記地図画像上を移動する動画を作成する、動画作成機能と
を備える、動画作成装置。
【請求項２】
前記動画作成装置は、さらに、
各前記計測地点の緯度および経度を表す位置情報を取得する機能と、
前記地図画像に係る緯度および経度を表す位置情報を取得する機能と
を備える、請求項１に記載の動画作成装置。
【請求項３】
前記動画作成装置は、さらに、
前記走行コースの始点および終点を表す点を含む線図を取得する機能と、
前記走行記録に基づいて、時刻に応じた、前記走行コースのうち前記走者が走行記録において走破した比率を算出する機能と、
を備え、
前記動画において、前記走者を表す第２標識が、前記線図において前記比率に応じた位置に表示される、
請求項１または２に記載の動画作成装置。
【請求項４】
前記動画において、前記第１標識が前記走行コースの終点に到達した後に、複数の前記計測地点における前記走者の順位、グロス記録、ネット記録およびラップ記録のうち少なくとも１つが表示される、請求項１〜３のいずれか一項に記載の動画作成装置。
【請求項５】
請求項１〜４のいずれか一項に記載の動画作成装置と、
各前記計測地点において、前記走者が到達した時刻を計測する計測装置と、
を備え、
前記動画作成装置は、前記走者が前記走行コースの終点に到達することに応じて、前記走行記録取得機能および前記動画作成機能を実行する、
動画作成システム。
【請求項６】
コンピュータを、請求項１〜４のいずれか一項に記載の動画作成装置として機能させるプログラム。
【発明の詳細な説明】
【技術分野】
【０００１】
本発明は、動画作成装置、プログラムおよび動画作成システムに関し、とくに長距離走に関する動画を作成するものに関する。
【背景技術】
【０００２】
長距離走に関する動画を作成する装置として、様々な技術が公知である。たとえば、周知のビデオカメラによって、単に走者を撮影した動画を作成することができる。また、特許文献１に記載される装置は、撮影された写真をつなぎ合わせて動画を作成する。
【先行技術文献】
【特許文献】
【０００３】
【特許文献１】特開２００４−１５９１５１号公報
【発明の概要】
【発明が解決しようとする課題】
【０００４】
しかしながら、従来の装置では、作成された動画から走者位置を把握するのが困難であるという問題があった。
【０００５】
たとえば周知のビデオカメラによって単に走者を撮影した動画からでは、コース全体における走者の位置を特定することは困難である。特許文献１の装置も、実際に撮影された写真をもとにしているので、コース全体における各写真の位置を動画から特定することは困難である。
【０００６】
この発明は、このような問題点を解決するためになされたものであり、コース内の走者位置をより容易に把握できる動画を作成する技術を提供することを目的とする。
【課題を解決するための手段】
【０００７】
上述の問題点を解決するため、この発明に係る動画作成装置は、
１つ以上の計測地点を含む走行コースにおける、長距離走に関する動画を作成する、動画作成装置であって、
走者が各前記計測地点に到達した時刻を表す走行記録を取得する、走行記録取得機能と、
前記走行コースを表す地図画像を取得する、地図画像取得機能と、
前記走行記録に基づいて、時刻に応じた前記走行コースにおける走者位置を決定する、走者位置決定機能と、
前記走者位置に基づいて、前記走者を表す第１標識が前記地図画像上を移動する動画を作成する、動画作成機能と
を備える。
特定の態様によれば、
前記動画作成装置は、さらに、
各前記計測地点の緯度および経度を表す位置情報を取得する機能と、
前記地図画像に係る緯度および経度を表す位置情報を取得する機能と
を備える。
特定の態様によれば、
前記動画作成装置は、さらに、
前記走行コースの始点および終点を表す点を含む線図を取得する機能と、
前記走行記録に基づいて、時刻に応じた、前記走行コースのうち前記走者が走行記録において走破した比率を算出する機能と、
を備え、
前記動画において、前記走者を表す第２標識が、前記線図において前記比率に応じた位置に表示される。
特定の態様によれば、前記動画において、前記第１標識が前記走行コースの終点に到達した後に、複数の前記計測地点における前記走者の順位、グロス記録、ネット記録およびラップ記録のうち少なくとも１つが表示される。
また、この発明に係る動画作成システムは、
上述の動画作成装置と、
各前記計測地点において、前記走者が到達した時刻を計測する計測装置と、
を備え、
前記動画作成装置は、前記走者が前記走行コースの終点に到達することに応じて、前記走行記録取得機能および前記動画作成機能を実行する。
また、この発明に係るプログラムは、コンピュータを上述の動画作成装置として機能させる。
【発明の効果】
【０００８】
この発明に係る動画作成装置、プログラムおよび動画作成システムによれば、実際の走行記録に基づいて、地図画像上を走者標識が移動する動画が作成されるので、閲覧者は、コース内の走者位置をより容易に把握することができる。
【図面の簡単な説明】
【０００９】
【図１】本発明の実施の形態１に係る動画作成システムを含む構成の例を示す図である。
【図２】図１の動画作成装置の処理の流れの例を説明するフローチャートである。
【図３】作成される動画の走行中シーンの例である。
【図４】作成される動画の情報表示シーンの例である。
【発明を実施するための形態】
【００１０】
以下、この発明の実施の形態を添付図面に基づいて説明する。
実施の形態１．
図１に、本発明の実施の形態１に係る動画作成システム１００を含む構成の例を示す。動画作成システム１００は、動画作成装置１０と、走行記録収集装置２０と、１つ以上の計測装置２１とを含む。動画作成装置１０は走行記録収集装置２０と通信可能に構成される。また、走行記録収集装置２０は、動画作成装置１０および各計測装置２１と通信可能に構成される。通信は任意の方式で行うことができ、インターネット等の有線通信によってもよいし、Ｗｉ−Ｆｉその他の無線通信によってもよい。
【００１１】
動画作成装置１０は、長距離走に関する動画を作成する装置である。図１の例では、動画は走行コースＣにおける長距離走に関するものである。走行コースＣは、１つ以上の計測地点を含む。図１の例では、走行コースＣはＣ１〜Ｃ７の合計４個の計測地点を含む。計測地点は、走行コースＣの始点（スタート地点）および終点（ゴール地点）を含んでもよい。図１の例では、計測地点Ｃ１が始点（または走行開始直後の地点）に対応し、計測地点Ｃ７が終点に対応する。
【００１２】
走行記録収集装置２０は、長距離走に参加した走者のそれぞれについて、走行記録を収集する。走行記録は、たとえば走者を識別する走者ＩＤに関連付けられる。走行記録は、走者が各計測地点Ｃ１〜Ｃ７に到達した時刻を表す記録を含む。時刻の表現形式は任意であり、たとえば走行開始時刻からの経過時間によって表現してもよいし、日本標準時によって表現してもよい（その場合には、たとえば計測された時刻から走行開始時刻を減算することにより走行時間を得ることができる）。
【００１３】
各計測地点には、計測装置２１が設けられる。各計測装置２１は、走行コースＣを走行する走者が、その計測地点に到達した時刻を計測する。なお、本明細書において、「走者が計測地点に到達した時刻」は、「走者が計測地点を通過した時刻」と言い換えることができる。また、計測地点が走行コースＣの始点（Ｃ１）である場合には、「計測地点に到達した時刻」は、「計測地点を出発した時刻」をもって表すことができるものとする。なお、走者の実際の出発地点が始点Ｃ１から離れた位置である場合（参加者多数のため後方から出発せざるを得ない場合等）には、始点Ｃ１についても、「走者が計測地点に到達した時刻」を用いることもできる。
【００１４】
動画作成装置１０は公知のコンピュータとしての構成を有し、演算等の処理を行う演算手段と、情報を格納する記憶手段とを備える。演算手段はたとえばＣＰＵ（中央処理装置）を含み、記憶手段はたとえば半導体メモリおよび取り外し可能記憶装置を含む。また、動画作成装置１０は、情報の入出力を行うための入力手段および出力手段を備える。入力手段および出力手段は、たとえばネットワークインタフェースおよび取り外し可能記憶媒体インタフェースを含む。
【００１５】
動画作成装置１０の記憶手段は、本明細書に記載される動画作成装置１０の動作に必要な情報を格納する。また、記憶手段は動画作成プログラムを格納しており、この動画作成プログラムが、コンピュータを動画作成装置１０として機能させる。すなわち、コンピュータは、動画作成プログラムを実行することにより、動画作成装置１０としての機能を実現する。
【００１６】
走行記録収集装置２０もまた、公知のコンピュータとしての構成を有する。
【００１７】
以上のように構成される動画作成システム１００の動作を、以下に説明する。
実施の形態１に係る動画作成システム１００は、走行コースＣにおいて長距離走のイベントが実施されることに応じて動作する。長距離走のイベントは、たとえば多数の走者が参加する大会または競技会であってもよい。計測装置２１および走行記録収集装置２０は、各走者について、その走者が計測地点Ｃ１〜Ｃ７に到達した時刻を計測、収集および記録する。
【００１８】
計測装置２１によって時刻を計測するための構成および処理は、当業者が適宜設計することができる。たとえば、各走者に固有のＲＦＩＤタグを携帯させ、計測装置２１にＲＦＩＤタグ検出装置を備えておけば、ＲＦＩＤタグを検出した時刻を到達時刻として計測することができる。または、たとえば、各走者に固有のゼッケンを着用させ、計測装置２１にカメラを備えておけば、カメラが撮影した画像からゼッケンを認識した時刻を到達時刻として計測することができる。
【００１９】
計測装置２１は、各走者について計測した時刻を走行記録収集装置２０に送信し、走行記録収集装置２０はこれを受信し、走行記録として記憶手段に格納する。走行記録の形式は任意に設計可能であるが、たとえば、走者ごとに作成され、その走者が各計測地点に到達した時刻またはその走者の各計測地点までの走行時間を表す。また、走行記録は、その走者の順位を含んでもよい。
【００２０】
走行記録収集装置２０は、走者が走行コースＣを完走すると（すなわちフィニッシュすると）、これに応じて、その走者の走行記録を動画作成装置１０に送信する。なお、走者が走行コースＣを完走したことは、たとえば計測地点Ｃ７における計測装置２１から到達時刻を受信することによって検出することができる。
【００２１】
動画作成装置１０は、走者の走行記録を受信することにより取得すると、動画作成に係る処理を開始する。
図２は、動画作成装置１０の処理の流れの例を説明するフローチャートである。この処理は、動画作成装置１０が走行記録収集装置２０から走行記録を取得することに応じて開始される（ステップＳ１、走行記録取得機能）。
【００２２】
次に、動画作成装置１０は、各計測地点Ｃ１〜Ｃ７の位置情報を取得する（ステップＳ２）。計測地点の位置情報は、たとえば計測地点の緯度および経度によって表すことができる。また、計測地点の位置情報は、計測地点の標高を表す情報を含んでもよい。また、計測地点の位置情報は、各計測地点間の距離（たとえば計測地点Ｃ２から計測地点Ｃ３までは５ｋｍである等）または始点から各計測地点までの距離（たとえば走行コースＣの始点から計測地点Ｃ３までは１０ｋｍである等）を表す情報を含んでもよい。
【００２３】
なお、本明細書において、「距離」とは、走行コースＣに沿って計測される長さ（「道のり」ともいう）をいい、必ずしも２地点間の直線距離とは一致しない。
【００２４】
次に、動画作成装置１０は、走行コースＣを表す地図画像を取得する（ステップＳ３、地図画像取得機能）。地図画像は任意の形式で構成することができるが、たとえば商用の地図画像データを用いてもよいし、航空写真の画像を用いてもよいし、立体形状データを２次元に投影した画像を用いてもよい。
【００２５】
次に、動画作成装置１０は、地図画像の位置情報を取得する（ステップＳ４）。地図画像の位置情報は、たとえば、地図画像の特定の基準点（たとえば矩形画像の場合には左上端の点等）の緯度および経度によって表すことができる。また、地図画像の位置情報は、基準点の標高を表す情報を含んでもよい。さらに、地図画像の位置情報は、地図画像の向き（方位等）を表す情報を含んでもよい。
【００２６】
次に、動画作成装置１０は、走行記録に基づいて、時刻に応じた走行コースＣにおける走者位置を決定する（ステップＳ５、走者位置決定機能）。たとえば、ある走者が計測地点Ｃ２に到達した時刻が０時１０分００秒であり、計測地点Ｃ３に到達した時刻が０時２０分００秒である場合には、これらの間の時刻の走者位置は計測地点Ｃ２と計測地点Ｃ３との間となる。
【００２７】
また、走者位置の決定には公知の補間演算を用いてもよい。たとえば上の例において、線形補間を用いると、０時１２分００秒には、走者位置は計測地点Ｃ２と計測地点Ｃ３とを２：８に内分した地点であると演算することができる。
【００２８】
なお、走行コースＣに関し、各計測地点の間の地点における標高または上り下りに関する情報が利用可能である場合には、そのような情報を用いて走者位置を補正してもよい。たとえば、下り坂では平地に比べて走者が比較的速く走行し、上り坂では平地に比べて走者が比較的遅く走行する、等の補正演算を行うことが可能である。
【００２９】
次に、動画作成装置１０は、走行記録に基づいて、時刻に応じた走破比率を算出する（ステップＳ６）。走破比率とは、走行コースＣのうち走者が走行記録において走破した比率をいう。この比率の具体的な算出方法は任意であるが、たとえば、各計測地点間の距離または始点から各計測地点までの距離を表す情報が利用可能である場合には、その情報と、ステップＳ５で決定した走者位置とに基づいて算出することができる。たとえば、始点から終点までが４０ｋｍである走行コースにおいて、走者位置が始点から３０ｋｍの位置である場合には、走破比率は３０／４０＝０．７５と算出することができる。
【００３０】
次に、動画作成装置１０は動画を作成する（ステップＳ７、動画作成機能）。
図３に、作成される動画の１シーン（走行中シーン）の例を示す。動画は、地図画像と、走者を表す第１標識３１とを表示する。第１標識３１は、走者を表すいわゆるアバターである。第１標識３１は、走行記録に基づき、時間の経過とともに地図画像上を移動する。たとえば、地図画像上に走行コースＣを表すコース線３２（折れ線または曲線等）が表示され、ステップＳ５で決定した走者位置に基づいて第１標識３１がコース線３２上を移動するように、動画が作成される。
【００３１】
コース線３２の形状等は任意の方法で決定することができる。動画作成装置１０は予め地図画像に関連付けられたコース線３２の形状を表す情報を記憶していてもよいし、計測地点の位置情報に基づいてコース線３２を生成してもよい。
【００３２】
第１標識３１の形式は任意であるが、図示の例では同心円と四角錐とを組み合わせ、擬似的に立体表示したものとなっている。同心円の中心と四角錐の頂点とが同一の位置を示し、これが走者位置に対応する。
【００３３】
コース線３２の表示態様は任意であるが、たとえばすでに走破した部分（図３では走者位置より下側の部分）と、未走破の部分（図３では走者位置より上側の部分）とで色を異ならせてもよい。また、たとえば、計測区間（２つの隣接する計測地点の間）ごとに、その計測区間における走行速度に基づいて色を異ならせてもよい。とくに、各計測区間における走行速度の相対比に基づいて色を異ならせてもよい。
【００３４】
地図画像の表示態様は、動画において固定されていてもよいし、第１標識３１の移動につれて変化してもよい。たとえば図示の例では、走者位置が進むにつれ、走者位置から見た走行コースＣ前方が画面の上方向を向くように地図画像が回転するとともに、第１標識３１が画面上の所定位置（たとえば図３に示すように画面中央最下辺よりやや上）に固定されるように地図画像が平行移動される。また、走者位置から見た走行コースＣ前方が画面奥方向を向くように傾いた擬似的３Ｄ表現が用いられてもよい。地図画像が立体形状データを含む場合には、各シーンにおける視点の位置および向きに基づいて地図画像を再描画してもよい。
【００３５】
動画における時間スケールは任意に設定可能であり、走行記録を忠実に再現する必要はない。たとえば、第１標識３１が移動を開始してから終了するまで（たとえば計測地点Ｃ１から計測地点Ｃ７へと移動するまで）の時間が所定時間（たとえば５分または１０分等）となるように設定してもよい。このようにすると、長時間に及ぶ走行記録を短時間に閲覧することができる。
【００３６】
このように、動画では、実際の走行記録に基づいて地図画像上を第１標識３１が移動する。このため、動画の閲覧者（たとえば走者本人）は、コース内の走破状況を随時容易に把握することができる。
【００３７】
また、動画において、ステップＳ６で算出した走破比率が表示される。この走破比率の表示は、たとえば、走行コースＣの始点および終点を表す点を含む線図３３を用いて行うことができる。図示のように、線図３３における走行コースＣの始点および終点は、地図画像内のコース線３２の始点および終点とは異なる点であってもよい。この線図３３において、走破比率に応じた位置に、走者を表す第２標識３４が表示される。
【００３８】
線図３３は、直線であってもよいし、図示のように標高を表す折れ線または曲線であってもよい。なお線図３３の取得は任意の方法で行うことができ、動画作成装置１０の記憶手段に予め格納されているものを取得してもよいし、動画作成装置１０が各計測地点の位置情報に基づいて作成し取得してもよい。
【００３９】
線図３３の表示態様は任意であるが、たとえばすでに走破した部分（図３では第２標識３４より左側の部分）と、未走破の部分（図３では第２標識３４より右側の部分）とで色を異ならせてもよい。また、たとえば、計測区間ごとに、その計測区間における走行速度に基づいて色を異ならせてもよい。とくに、各計測区間における走行速度の相対比に基づいて色を異ならせてもよい。
【００４０】
また、動画において、他の情報等が表示されてもよい。図示の例では、競技会の名称（「ＦＵＪＩＳＡＮ  ＭＡＲＡＴＨＯＮ」）、競技会の区分（「フルマラソン総合」）、走者ＩＤ（「Ｎｏ．１１２」）、走者氏名（「○○太郎」）、目標タイム（「２：２９：５９」）、等が表示される。これらの情報は、任意の方法で取得することができる。走者氏名および目標タイムは、予め走者ＩＤに関連付けて記憶されていてもよい。
【００４１】
さらに、動画において、各シーンごとに更新される情報が表示されてもよく、図示の例では、時刻（たとえば競技会当時の日本標準時。「１０：１１：１５」）、始点からそのシーンにおける走者位置までの走行距離（「２０ｋｍ」）、そのシーンにおける走者の順位（「２位」）、始点からの走行時間（「ネット  ０１：１０：１５」）、直前の計測地点からの走行時間（「ラップ  ００：１７：１１」）、等が表示されている。
【００４２】
また、動画において、走者の写真が表示されてもよい。図３の例では左下に走者の写真が表示されている。走者の写真を撮影するための構成および随時表示される写真を選択する方法等は、公知技術に基づいて任意に設計可能である。
【００４３】
動画において、図３のような走行中シーンによって第１標識３１が移動する様子を表示した後（たとえば第１標識３１が走行コースＣの終点に到達した後）、所定の情報を表示する情報表示シーンが表示されてもよい。
【００４４】
図４に、このような情報表示シーンの例を示す。走者ＩＤ、走者氏名、目標タイム、および各計測地点における情報が表示される。計測地点における情報は、始点からその計測地点までの距離、その計測地点における走者の順位、その計測地点におけるグロス記録（走行開始の号砲からの経過時間）、その計測地点におけるネット記録（始点からの走行時間）、ネット記録と目標ネット時間との差分、その計測地点におけるラップ記録（直前の計測地点からの走行時間）、ラップ記録と目標ラップ時間との差分、等を含む。目標ネット時間および目標ラップ時間は、あらかじめ走者ＩＤに関連付けて動画作成装置１０の記憶手段に格納しておいてもよい。
【００４５】
動画の作成が終了すると、動画作成装置１０は、作成した動画を出力する（ステップＳ８）。出力の態様は任意に設計可能であり、たとえば動画作成装置１０の記憶手段に格納してもよいし、通信ネットワークを介して他のコンピュータに送信してもよい。また、他のコンピュータに送信する場合には、たとえばコンテンツ共有サービスを利用してもよい。このために、動画作成装置１０は、コンテンツ共有サービスを構成するサイトまたはサーバに対して動画をアップロードする機能を備えてもよい。
【００４６】
出力された動画の利用態様は様々なものが可能であるが、たとえば、各走者に、競技会への参加の記念として、または、競技会において完走したことを示す記録（完走証）として、動画が提供されてもよい。
【００４７】
以上説明するように、本発明の実施の形態１に係る動画作成システム１００（動画作成装置１０および動画作成プログラムを含む）によれば、実際の走行記録に基づいて、地図画像上を第１標識３１が移動する動画が作成されるので、動画の閲覧者（たとえば走者本人）は、走行コースＣ内の走者位置を比較的容易に把握することができる。
【００４８】
上述の実施の形態１において、以下のような変形を施すことができる。
図２の処理の実行タイミングは、任意に変更可能である。実施の形態１では、動画作成装置１０は、各走者が走行コースＣの終点に到達することに応じて、その走者について図２の処理（とくにステップＳ１およびＳ７を含む）を実行するので、完走した走者がすぐに自身の動画を閲覧することができるが、変形例として、すべての走者が走行を終え、動画作成装置１０の管理者から特定の動画作成開始命令を受け付けた後に、図２の処理を開始してもよい。
【００４９】
ステップＳ１〜Ｓ４の実行順序は任意に入れ替えが可能である。たとえば、動画作成装置１０は予めステップＳ２〜Ｓ４の処理を実行して各データを取得しておき、走行記録収集装置２０からの走行記録送信を待って後続の処理を開始してもよい。また、ステップＳ２〜Ｓ４の処理は走者ごとに実行する必要はない。
【００５０】
ステップＳ１よりも前に、走行記録収集装置２０から動画作成装置１０に、走者を識別する走者ＩＤと、走者が走行コースＣを完走したことを表す情報とを含むフィニッシュ信号を送信してもよい。動画作成装置１０は、このフィニッシュ信号に応じ、走行記録収集装置２０に対し、その走者ＩＤに対応する走行記録の送信を要求してもよい。
【００５１】
線図３３および第２標識３４の表示は省略してもよい。その場合には、ステップＳ６を実行する必要はない。
【００５２】
情報表示シーンは図４の構成に限らない。他の情報を追加で表示してもよいし、図４の情報の一部を省略してもよい。たとえば、走者の順位、グロス記録、ネット記録およびラップ記録のうち少なくとも１つが表示されていてもよい。
【００５３】
複数の走行コースに関する処理を並行して実行可能であってもよい。たとえば、同日に２箇所で異なる競技会が開催される場合に、各走行コースおよび走行記録を大会ＩＤ等の識別情報を用いて区別可能としておけば、走行記録に含まれる大会ＩＤに応じた走行コースを用いて動画を作成することができる。その場合には、ステップＳ３において、大会ＩＤに応じて異なる地図画像を取得してもよい。
【００５４】
動画は、たとえば第１標識３１が走行コースＣの始点から終点まで移動するよう構成されるが、走行コースＣの一部のみを移動するよう構成されてもよい（すなわち、必ずしも始点Ｃ１から終点Ｃ７まで全行程を含むものでなくともよい）。
【００５５】
実施の形態１では、計測地点および地図画像の位置情報は緯度および経度を用いたが、位置情報は計測地点と地図画像との対応関係を表せる情報であればよく、緯度および経度に限らない。
【００５６】
動画作成システム１００に係るハードウェア構成は任意に変更可能である。たとえば、走行コースＣに関する情報（地図画像のデータ、計測地点のデータ、等）を保存するコンピュータと、動画を作成するコンピュータとが分離していてもよい。または、動画作成装置１０および走行記録収集装置２０を単一のコンピュータによって構成してもよい。
【符号の説明】
【００５７】
１０  動画作成装置（コンピュータ）、２０  走行記録収集装置、２１  計測装置、３１  第１標識、３３  線図、３４  第２標識、１００  動画作成システム、Ｃ  走行コース、Ｃ１〜Ｃ７  計測地点。
【図１】
2019204438.tif 000003
【図２】
2019204438.tif 000004
【図３】
2019204438.tif 000005
【図４】
2019204438.tif 000006
【手続補正書】
【提出日】令和1年8月27日(2019.8.27)
【手続補正２】
【補正対象書類名】明細書
【補正対象項目名】０００１
【補正方法】変更
【補正の内容】
【０００１】
本発明は、動画作成システムおよび動画作成プログラムに関し、とくに長距離走に関する動画を作成するものに関する。
【手続補正３】
【補正対象書類名】明細書
【補正対象項目名】０００７
【補正方法】変更
【補正の内容】
【０００７】
上述の問題点を解決するため、この発明に係る動画作成システムは、
１つ以上の計測地点を含む走行コースにおける、長距離走に関する動画を作成する、動画作成システムであって、
前記計測地点に設けられ、それぞれの走者が各前記計測地点に到達した到達時刻を計測する、計測装置と、
前記それぞれの走者の前記到達時刻を前記計測装置から走行記録として収集する、走行記録収集装置と、
前記走行記録を前記走行記録収集装置から取得し、前記走行記録に基づいて動画を作成する、動画作成装置と、
を備え、
前記動画作成装置は、
前記走行記録を前記走行記録収集装置から取得する、走行記録取得機能と、
各前記計測地点の緯度および経度を表す計測地点位置情報を取得する機能と、
前記走行コースを表す地図画像を取得する、地図画像取得機能と、
前記地図画像に係る緯度および経度を表す地図画像位置情報を取得する機能と、
前記計測地点位置情報と前記地図画像位置情報とを参照し、前記走行記録に基づいて、時刻に応じた前記走行コースにおける前記地図画像上での走者位置を決定する、走者位置決定機能と、
前記走者位置に基づいて、前記走者を表す第１標識が前記地図画像上を移動する動画を作成する、動画作成機能と
を備える。
特定の態様によれば、
前記動画作成装置は、さらに、
前記走行コースの始点および終点を表す点を含む線図を取得する機能と、
前記走行記録に基づいて、時刻に応じた、前記走行コースのうち前記走者が走行記録において走破した比率を算出する機能と、
を備え、
前記動画において、走者を表す第２標識が、前記線図において前記比率に応じた位置に表示される。
特定の態様によれば、前記動画において、前記第１標識が前記走行コースの終点に到達した後に、複数の前記計測地点における前記走者の順位、グロス記録、ネット記録およびラップ記録のうち少なくとも１つが表示される。
また、この発明に係る動画作成システムは、
前記走者が前記走行コースの終点に到達することに応じて、前記動画作成装置が、前記動画作成機能を実行する、
また、この発明に係るプログラムは、コンピュータを上述の動画作成システムとして機能させる。
【手続補正４】
【補正対象書類名】明細書
【補正対象項目名】０００８
【補正方法】変更
【補正の内容】
【０００８】
この発明に係る動画作成システムおよび動画作成プログラムによれば、実際の走行記録に基づいて、地図画像上を走者標識が移動する動画が作成されるので、閲覧者は、コース内の走者位置をより容易に把握することができる。
【手続補正５】
【補正対象書類名】特許請求の範囲
【補正対象項目名】全文
【補正方法】変更
【補正の内容】
【特許請求の範囲】
【請求項１】
１つ以上の計測地点を含む走行コースにおける、長距離走に関する動画を作成する、動画作成システムであって、
前記計測地点に設けられ、それぞれの走者が各前記計測地点に到達した到達時刻を計測する、計測装置と、
前記それぞれの走者の前記到達時刻を前記計測装置から走行記録として収集する、走行記録収集装置と、
前記走行記録を前記走行記録収集装置から取得し、前記走行記録に基づいて動画を作成する、動画作成装置と、
を備え、
前記動画作成装置は、
前記走行記録を前記走行記録収集装置から取得する、走行記録取得機能と、
各前記計測地点の緯度および経度を表す計測地点位置情報を取得する機能と、
前記走行コースを表す地図画像を取得する、地図画像取得機能と、
前記地図画像に係る緯度および経度を表す地図画像位置情報を取得する機能と、
前記計測地点位置情報と前記地図画像位置情報とを参照し、前記走行記録に基づいて、時刻に応じた前記走行コースにおける前記地図画像上での走者位置を決定する、走者位置決定機能と、
前記走者位置に基づいて、前記走者を表す第１標識が前記地図画像上を移動する動画を作成する、動画作成機能と
を備える、動画作成システム。
【請求項２】
前記動画作成装置は、さらに、
前記走行コースの始点および終点を表す点を含む線図を取得する機能と、
前記走行記録に基づいて、時刻に応じた、前記走行コースのうち前記走者が走行記録において走破した比率を算出する機能と、
を備え、
前記動画において、前記走者を表す第２標識が、前記線図において前記比率に応じた位置に表示される、
請求項１に記載の動画作成システム。
【請求項３】
前記動画において、前記第１標識が前記走行コースの終点に到達した後に、複数の前記計測地点における前記走者の順位、グロス記録、ネット記録およびラップ記録のうち少なくとも１つが表示される、請求項１〜２のいずれか一項に記載の動画作成システム。
【請求項４】
前記動画作成装置は、前記走者が前記走行コースの終点に到達することに応じて、前記動画作成機能を実行する、
請求項１〜３のいずれか一項に記載の動画作成システム。
【請求項５】
コンピュータを、請求項１〜４のいずれか一項に記載の動画作成システムとして機能させるプログラム。